(57)【要約】      （修正有）【課題】誰でも簡単に、かつ、安全に髪の毛をカットすることができ、好みの髪型にすることのできる髪の毛切断用具を提供すること。【解決手段】顔に掛かる髪の毛を避けるために中心の孔から頭に被せる略環状の顔部ガード板２と、耳に掛かる髪の毛を避けるために耳の上方から後方にかけて当てる弧状の耳部ガード板と、前記顔部ガード板２及び耳部ガード板を装着した状態で髪の毛を切断するための三枚刃カッター又はＹ字型カッター５又は三連刃カッターとからなることを特徴とする髪の毛切断用具の構成とした。【選択図】図１２
2007061236.tif 000002
【特許請求の範囲】
【請求項１】
顔に掛かる髪の毛を避けるために中心の孔から頭に被せる略環状の顔部ガード板と、耳に掛かる髪の毛を避けるために耳の上方から後方にかけて当てる弧状の耳部ガード板と、前記顔部ガード板及び耳部ガード板を装着した状態で髪の毛を切断するための三枚刃カッター又はＹ字型カッター又は三連刃カッターとからなることを特徴とする髪の毛切断用具。
【請求項２】
三枚刃カッター又はＹ字型カッター又は三連刃カッターの刃を替刃式としたことを特徴とする請求項１に記載の髪の毛切断用具。
【請求項３】
三枚刃カッター又はＹ字型カッター又は三連刃カッターにカバーを被せ、刃の範囲を調整したことを特徴とする請求項１又は請求項２に記載の髪の毛切断用具。
【請求項４】
三枚刃カッター又はＹ字型カッター又は三連刃カッターの刃にアタッチメントを取り付け、刃の範囲を調整したことを特徴とする請求項１、請求項２又は請求項３に記載の髪の毛切断用具。
【請求項５】
三枚刃カッター又はＹ字型カッター又は三連刃カッターを湾曲させたことを特徴とする請求項１、請求項２、請求項３又は請求項４に記載の髪の毛切断用具。
【発明の詳細な説明】
【技術分野】
【０００１】
本発明は、簡単に、かつ、安全に髪の毛をカットすることのできる髪の毛切断用具に関するものである。
【背景技術】
【０００２】
理容師又は美容師が髪の毛をカットする場合、理容師又は美容師自身の熟練した技能により櫛や鋏などを使いこなしているが、刃物を扱っているため、安全性には特に注意を払いつつ、要求された髪型に仕上げる必要がある。
【０００３】
特許文献１に記載されているように、頭部の所定位置に頭髪の上から配置される薄肉厚のガイド部材を備え、前記ガイド部材の下端縁が頭髪をカットする際のガイドラインとなる理髪補助具という発明も公開されている。
【特許文献１】特開平０６−２３７８１６号公報
【発明の開示】
【発明が解決しようとする課題】
【０００４】
しかしながら、特許文献１に記載の発明は、キャップ状のガイド部材を頭に被るため、頭頂部の髪の毛をカットすることができない。また、複雑な髪型に対しては、ガイド部材の形状を対応させることは困難である。
【０００５】
そこで、本発明は、誰でも簡単に、かつ、安全に髪の毛をカットすることができ、好みの髪型にすることのできる髪の毛切断用具を提供することを目的とするものである。
【課題を解決するための手段】
【０００６】
本発明は、上記の課題を解決するために、顔に掛かる髪の毛を避けるために中心の孔から頭に被せる略環状の顔部ガード板と、耳に掛かる髪の毛を避けるために耳の上方から後方にかけて当てる弧状の耳部ガード板と、前記顔部ガード板及び耳部ガード板を装着した状態で髪の毛を切断するための三枚刃カッター又はＹ字型カッター又は三連刃カッターとからなることを特徴とする髪の毛切断用具の構成とした。
【発明の効果】
【０００７】
本発明は、以上の構成であるから以下の効果が得られる。第１に、顔部ガード板及び耳部ガード板を使用することにより、切った髪の毛が顔などに掛かることなく、かつ、刃物で顔などを傷付けることなく安全に髪の毛をカットすることができる。
【０００８】
第２に、三枚刃カッター、Ｙ字カッター及び三連刃カッターを使い分けることにより、多彩なカッティングが可能となり、複雑な髪型であっても簡単かつ手軽に仕上げることができるようになる。
【０００９】
第３に、理容店又は美容院に行かなくても、髪の毛で気になる箇所があった場合に、自分でカットすることができる。また、病気等で体が不自由な場合のお手入れに使用することもできる。
【発明を実施するための最良の形態】
【００１０】
本発明は、誰でも簡単に、かつ、安全に髪の毛をカットすることができるようにするという目的を、顔に掛かる髪の毛を避けるために中心の孔から頭に被せる略環状の顔部ガード板と、耳に掛かる髪の毛を避けるために耳の上方から後方にかけて当てる弧状の耳部ガード板と、前記顔部ガード板及び耳部ガード板を装着した状態で髪の毛を切断するための三枚刃カッター又はＹ字型カッター又は三連刃カッターとからなることを特徴とする髪の毛切断用具により実現した。
【実施例１】
【００１１】
以下に、添付図面に基づいて、本発明である髪の毛切断用具について詳細に説明する。尚、散髪者とは、理容師又は美容師など髪の毛をカットする者を言い、散髪対象者とは、お客など髪の毛をカットされる者を言うものとする。
【００１２】
図１は、本発明である髪の毛切断用具の顔部ガード板の正面図であり、図２は、本発明である髪の毛切断用具の顔部ガード板の側面図である。
【００１３】
髪の毛切断用具１は、顔に掛かる髪の毛を避けるために中心の孔から頭に被せる略環状の顔部ガード板と、耳に掛かる髪の毛を避けるために耳の上方から後方にかけて当てる弧状の耳部ガード板と、前記顔部ガード板及び耳部ガード板を装着した状態で髪の毛を切断するための三枚刃カッター又はＹ字型カッター又は三連刃カッターとからなることを特徴とする。
【００１４】
顔部ガード板２は、散髪時に顔などを保護するために散髪対象者の頭に被せる部材であり、散髪対象者の髪の毛を載せる髪受け部２ａと、散髪対象者の頭を入れる取付用孔２ｂとからなる。
【００１５】
髪受け部２ａは、散髪対象者の髪の毛を受ける部分で、紙やプラスチック等の柔軟性のある軽い素材で出来た楕円状の薄い板である。尚、髪受け部２ａの長径の長さは約４１０ミリメートル、短径の長さは約３３５ミリメートルが好ましい。
【００１６】
髪受け部２ａは、内側に取付用孔２ｂの空いたドーナツ型の形状である。取付用孔２ｂは、髪受け部２ａの中心に空いており、前部２ｃ、後部２ｄ、左部２ｅ及び右部２ｆの幅は同一である。
【００１７】
取付用孔２ｂは、顔部ガード板２を散髪対象者に取り付ける際に、散髪対象者の頭が入る楕円状の孔である。尚、取付用孔２ｂの長径の長さは約２１０ミリメートル、短径の長さは約１３５ミリメートルが好ましい。
【００１８】
髪受け部２ａの前部２ｃは、顔部ガード板２を散髪対象者に被せた際に前側となる部分であり、散髪対象者の額に掛かる髪の毛を受ける。尚、前部２ｃの幅は、約１００ミリメートルが好ましい。
【００１９】
髪受け部２ａの後部２ｄは、顔部ガード板２を散髪対象者に被せた際に後ろ側となる部分であり、散髪対象者のうなじに掛かる髪の毛を受ける。尚、後部２ｄの幅は、約１００ミリメートルが好ましい。
【００２０】
髪受け部２ａの左部２ｅは、顔部ガード板２を散髪対象者に被せた際に左側となる部分であり、散髪対象者の左耳に掛かる髪の毛を受ける。尚、左部２ｅの幅は、約１００ミリメートルが好ましい。
【００２１】
髪受け部２ａの右部２ｆは、顔部ガード板２を散髪対象者に被せた際に右側となる部分であり、散髪対象者の右耳に掛かる髪の毛を受ける。尚、右部２ｆの幅は、約１００ミリメートルが好ましい。
【００２２】
スリット２ｇは、髪受け部２ａの後部２ｄを切断した切れ目である。尚、スリット２ｇの左側が左端部２ｈで、右側が右端部２ｉであり、左端部２ｈと右端部２ｉとが離れているため、取付用孔２ｂと散髪対象者の頭の大きさの差を調整することができる。
【００２３】
スリット２ｇにより、取付用孔２ｂよりも頭が大きい又は小さい散髪対象者にも対応することが可能となる。勿論、サイズを段階的に変えた顔部ガード板２を複数用意しておいても良い。
【００２４】
図３は、本発明である髪の毛切断用具の耳部ガード板の正面図であり、図４は、本発明である髪の毛切断用具の耳部ガード板の側面図である。
【００２５】
耳部ガード板３は、散髪時に頭全体ではなく耳など一部分を保護するために当てる部材であり、散髪対象者の髪の毛を載せる髪受け部３ａと、散髪対象者に当てる部分である湾曲部３ｂとからなる。
【００２６】
髪受け部３ａは、散髪対象者の耳に掛かる髪の毛を受ける部分で、紙やプラスチック等の柔軟性のある軽い素材で出来た弧状の薄い板である。尚、髪受け部３ａの幅は、中心付近で約３０ミリメートルが好ましい。
【００２７】
髪受け部３ａの前端３ｂは、耳部ガード板３を散髪対象者に当てた際に耳の上方に来る部分である。尚、前端３ｂにおける幅は、中心付近よりも若干狭くした約２５ミリメートルが好ましい。
【００２８】
髪受け部３ａの後端３ｃは、耳部ガード板３を散髪対象者に当てた際に耳の後方に来る部分である。尚、後端３ｃにおける幅は、中心付近よりも若干狭くした約２８ミリメートルが好ましい。
【００２９】
湾曲部３ｄは、耳部ガード板３を散髪対象者に当てる際に、散髪対象者の耳の上方から後方にかけて耳部ガード板３がフィットするように弧状にした部分である。尚、耳部ガード板３自体も湾曲させることで耳の周りを覆うことができる。
【００３０】
図５は、本発明である髪の毛切断用具の三枚刃カッターの正面図であり、図６は、本発明である髪の毛切断用具の三枚刃カッターの側面図である。
【００３１】
三枚刃カッター４は、散髪者が把持するための柄４ａに、散髪対象者の髪の毛をカットするための中カッター４ｂ、左カッター４ｃ及び右カッター４ｄからなる３枚のカッターを取り付けたものであり、縦カットする際に使用する。
【００３２】
柄４ａは、髪の毛をカットする際に握る場所であり、長さは約５０ミリメートルで、略円柱状など握りやすい形状である。また、柄４ａの上面において、中カッター４ｂ、左カッター４ｃ及び右カッター４ｄの下端を重ねて固定する。
【００３３】
中カッター４ｂは、柄４ａに対し真っ直ぐに取り付けられた刃物であり、長さは約７０ミリメートルで、長方形状の板の先端を丸めた形状である。尚、先端の中央には中刃４ｅ、左側には左刃４ｆ、右側には右刃４ｇを有する。
【００３４】
左カッター４ｃは、柄４ａに対し左方に約３０°傾けて取り付けられた刃物であり、長さは約７０ミリメートルで、長方形状の板の先端を丸めた形状である。尚、先端の中央には中刃４ｅ、左側には左刃４ｆ、右側には右刃４ｇを有する。
【００３５】
右カッター４ｄは、柄４ａに対し右方に約３０°傾けて取り付けられた刃物であり、長さは約７０ミリメートルで、長方形状の板の先端を丸めた形状である。尚、先端の中央には中刃４ｅ、左側には左刃４ｆ、右側には右刃４ｇを有する。
【００３６】
図７は、本発明である髪の毛切断用具のＹ字型カッターの正面図であり、図８は、本発明である髪の毛切断用具のＹ字型カッターの側面図である。
【００３７】
Ｙ字型カッター５は、散髪者が把持するための柄５ａに、散髪対象者の髪の毛をカットするための左カッター５ｂ及び右カッター５ｃからなる２枚のカッターを取り付けたものであり、縦カットする際に使用する。
【００３８】
柄５ａは、髪の毛をカットする際に握る場所であり、長さは約３０ミリメートルで、略円柱状など握りやすい形状である。また、柄５ａの上面において、左カッター５ｂ及び右カッター５ｃの下端を重ねて固定する。
【００３９】
左カッター５ｂは、柄５ａに対し左方に傾けて取り付けられた刃物であり、長さは約４０ミリメートルで、長方形状の板の先端を丸めた形状である。尚、左カッター５ｂの先端の中央から右側にかけて左刃５ｄを有する。
【００４０】
右カッター５ｃは、柄５ａに対し右方に傾けて取り付けられた刃物であり、長さは約４０ミリメートルで、長方形状の板の先端を丸めた形状である。右カッター５ｃの先端の中央から左側にかけて右刃５ｅを有する。
【００４１】
図９は、本発明である髪の毛切断用具の三連刃カッターの正面図であり、図１０は、本発明である髪の毛切断用具の三連刃カッターの側面図である。
【００４２】
三連刃カッター６は、散髪者が把持するための柄６ａに、散髪対象者の髪の毛をカットするための上カッター６ｂ、中カッター６ｃ及び下カッター６ｄからなる３枚のカッターを取り付けたものであり、横又は斜めにランダムにカットしたり、シャギーカットする際に使用する。
【００４３】
柄６ａは、髪の毛をカットする際に握る場所であり、略円柱状など握りやすい形状である。また、柄６ａの上面において、上カッター６ｂ、中カッター６ｃ及び下カッター６ｄの下端を重ねて固定する。
【００４４】
上カッター６ｂは、柄５ａに対し真っ直ぐに取り付けられた刃物であり、長さが約６０ミリメートルの長方形状の板の先端を若干左側に傾斜させた形状である。尚、上カッター６ｂの先端には刃６ｅを有する。
【００４５】
中カッター６ｃは、柄５ａに対し真っ直ぐに取り付けられた刃物であり、長さが約４５ミリメートルの長方形状の板の先端を若干左側に傾斜させた形状である。尚、中カッター６ｃの先端には刃６ｅを有する。
【００４６】
下カッター６ｄは、柄５ａに対し真っ直ぐに取り付けられた刃物であり、長さが約３５ミリメートルの長方形状の板の先端を若干左側に傾斜させた形状である。尚、下カッター６ｄの先端には刃６ｅを有する。
【００４７】
図１１は、本発明である髪の毛切断用具の顔部ガード板の取付方法を示した図であり、図１２は、本発明である髪の毛切断用具の顔部ガード板の使用方法を示した図である。
【００４８】
散髪する際、全体的に髪の毛をカットする場合は顔部ガード板２を使用する。顔部ガード板２の取付用孔２ｂを、左端部２ｈ及び右端部２ｉが後ろ側に来るように、散髪対象者の頭部に通す。
【００４９】
尚、顔部ガード板２の左端部２ｈと右端部２ｉが離れており、若干のサイズのずれは調整可能なため、散髪対象者の頭部のサイズに拘わらず装着することができる。ただし、サイズが大きく異なる場合は、サイズに合った顔部ガード板２を用意することが好ましい。
【００５０】
装着した顔部ガード板２は、前部２ｃを額７の上あたりに、後部２ｄをうなじの上あたりに、左部２ｅを左耳の上あたりに、及び右部２ｆを右耳の上あたりに当て、散髪対象者の髪７ａを髪受け部２ａに載せる。
【００５１】
図１２では、散髪者がＹ字型カッター５の柄５ａを手７ｂに持ち、散髪対象者の髪７ａを左カッター５ｂ及び右カッター５ｃでカットしている。尚、三枚刃カッター４又は三連刃カッター６を使用した場合についても同様である。
【００５２】
顔部ガード板２を装着しておくことにより、髪７ａをカットするときに散髪対象者の額７などを傷付ける心配がなく、散髪者もカットもしやすくなる。また、カットした髪７ａが散髪対象者の顔に掛かるのを防ぐこともできる。
【００５３】
三枚刃カッター４、Ｙ字型カッター５及び三連刃カッター６の各カッターは、固定式にすることもできるし、替刃式にすることもできる。固定式の場合は、使い捨てとして手軽に使用することができる。
【００５４】
替刃式の場合は、刃が駄目になった場合に交換したり、三枚刃カッター４、Ｙ字型カッター５、三連刃カッター６又は異なる種類のカッターを付け替えて使うこともでき、経済的である。
【００５５】
尚、三枚刃カッター４、Ｙ字型カッター５及び三連刃カッター６は、未使用時には安全カバーを付ける。安全カバーは、三枚刃カッター４、Ｙ字型カッター５又は三連刃カッター６が入り、刃を覆うことができる袋等である。
【００５６】
図１３は、本発明である髪の毛切断用具の耳部ガード板の使用方法を示した図である。
【００５７】
散髪する際、耳周辺の髪の毛をカットする場合は耳部ガード板３を使用する。耳部ガード板３を若干曲げるようにして、耳部ガード板３の湾曲部３ｄを、散髪対象者の耳７ｃの上方から後方にかけて当て、散髪対象者の髪７ａを髪受け部３ａに載せる。
【００５８】
顔部ガード板２の場合と同様に、耳部ガード板３を当てた状態で、散髪者がＹ字型カッター５、三枚刃カッター４又は三連刃カッター６を使用し、散髪対象者の髪７ａをカットする。
【００５９】
耳部ガード板３を装着しておくことにより、髪７ａをカットするときに散髪対象者の耳７ｃなどを傷付ける心配がなく、散髪者もカットもしやすくなる。また、カットした髪７ａが散髪対象者の耳７ｃに掛かるのを防ぐこともできる。
【実施例２】
【００６０】
図１４は、本発明である髪の毛切断用具の替刃式のＹ字型カッターの正面図であり、図１５は、本発明である髪の毛切断用具の替刃式のＹ字型カッターのＡ−Ａ’における断面図である。
【００６１】
髪の毛切断用具１ａの三枚刃カッター又はＹ字型カッター又は三連刃カッターの刃は、替刃式にすることができる。尚、Ｙ字型カッター８について説明するが、三枚刃カッター及び三連刃カッターについても同様である。
【００６２】
Ｙ字型カッター８は、柄８ａに二叉のカッター８ｂが固定されているが、右利き用であればカッター８ｂの左側内面に縦の溝８ｄが入っており、替刃式の刃８ｃを差し込むことができる。
【００６３】
カッター８ｂの右側については、刃８ｃは取り付けないため、溝８ｄも設けないが、髪の通りを良くするなどの用途がある。尚、左利き用であれば、左右逆となり、カッター８ｂの右側に溝８ｄを設け、刃８ｃを取り付ける。
【００６４】
刃８ｃが駄目になった場合や、別の種類の刃８ｃを使用したい場合に、刃８ｃを研ぎ直したり、刃８ｃのみを交換することができる。柄８ａ及びカッター８ｂは、そのまま使い続けることができ、経済的である。
【００６５】
尚、Ｙ字型カッター８の寸法の例としては、柄８ａの長さが約７５ミリメートル、左右のカッター８ｂの長さがそれぞれ約７０ミリメートル、刃８ｃの長さが３０〜５０ミリメートルである。
【００６６】
図１６は、本発明である髪の毛切断用具の替刃式のＹ字型カッターにカバーを被せた正面図である。髪の毛切断用具１ａの三枚刃カッター又はＹ字型カッター又は三連刃カッターにカバー８ｆを被せて、刃８ｃが出る範囲を調整することができる。
【００６７】
カバー８ｆは、カッター８ｂの刃８ｃが付いている側に被せる。カバー８ｆは、刃８ｃの上側が覆われ下側が出るような形状である。刃８ｃの一部を隠すことにより、狭い範囲のカットに適したものとなる。
【００６８】
刃８ｃの上側が覆われていることで、余計なカットを防止したり、刃８ｃが頭などを傷付けないように保護することができる。尚、カバー８ｆの材質は、プラスチックなど頭皮にダメージを与えないようなものであれば良い。
【００６９】
図１７は、本発明である髪の毛切断用具の替刃式の刃とアタッチメントの正面図であり、図１８は、本発明である髪の毛切断用具の替刃式のＹ字型カッターにアタッチメント付きの刃を差し込んだ正面図である。
【００７０】
髪の毛切断用具１ａの刃８ｃは、上側の約３分の１が研がれていて、下側がカッター８ｂの溝８ｄに入る。尚、刃８ｃは、１回ごとに使い捨てでも良いし、研いで何度も使用しても良い。
【００７１】
髪の毛切断用具１ａの刃８ｃに、アタッチメント８ｅを取り付けることにより、刃８ｃの切れる位置を調整することができる。アタッチメント８ｅは、プラスチック等を刃８ｃに被せられるように成形したもので、部分的に刃８ｃが出る箇所を設ける。
【００７２】
アタッチメント８ｅ付きの刃８ｃは、アタッチメント８ｅを付けた状態で三枚刃カッター又はＹ字型カッター又は三連刃カッターに取り付けることができる。刃８ｃの位置を制限することで、カットにバリエーションを持たせることができる。
【００７３】
図１９は、本発明である髪の毛切断用具の替刃式のＹ字型カッターに間隙入りカバーを被せた正面図である。カバー８ｆに間隙８ｈを設けることにより、アタッチメント８ｅと同じ効果を持たせることができる。
【００７４】
アタッチメント８ｃ付きの刃８ｃを差し込んだ上でカバー８ｆを被せることもできるが、溝８ｄのサイズに問題がありアタッチメント８ｅを付けられない場合は、カバー８ｆの刃８ｃを覆っている箇所に間隙８ｈを空けることにより、刃８ｃの範囲を調整することもできる。
【００７５】
図２０は、本発明である髪の毛切断用具の湾曲型のＹ字型カッターの側面図である。髪の毛切断用具１ａの三枚刃カッター又はＹ字型カッター又は三連刃カッターは、湾曲型にすることもできる。
【００７６】
カッター８ｂの厚さは薄く、材質は硬くない金属であるので、先端の方を撓らせることができる。頭の形状は丸みを帯びているので、カッター８ｂの形状がフラットでない方が都合の良い場合もある。
【００７７】
カッター８ｂは、湾曲させることで特定の場所をカットしやすくなる。尚、湾曲カッター８ｇの刃８ｃは、湾曲した刃８ｃを使用しても良いが、柔らかい金属であれば、湾曲させて取り付けることもできる。
【００７８】
湾曲カッター８ｇの左側の曲がった方を使用すれば、頭の形状に沿ってカットすることができ、また、湾曲カッター８ｇの右側の反った方を使用すれば、頂部をカットするのに便利である。
【実施例３】
【００７９】
図２１は、本発明である髪の毛切断用具の分離型のＹ字型カッターの正面図である。髪の毛切断用具１ｂの三枚刃カッター又はＹ字型カッター又は三連刃カッターは、分離型にすることもできる。尚、Ｙ字型カッター９について説明するが、三枚刃カッター及び三連刃カッターについても同様である。
【００８０】
髪の毛切断用具１ｂのＹ字型カッター９は、左カッター９ａと右カッター９ｂの下部を留め具９ｄで固定する。留め具９ｄはネジ式であり、留め具９ｄを外すことにより、左カッター９ａと右カッター９ｂを分離することができる。尚、左カッター９ａ又は右カッター９ｂの刃９ｃは、固定式でも替刃式でも良い。
【００８１】
Ｙ字型カッター９は、左方に傾いた板である左カッター９ａと、右方に傾いた板である右カッター９ｂを併せてＹ字型としているが、左カッター９ａと右カッター９ｂは同一形状で、右カッター９ｂは左カッター９ａを裏返したものである。左カッター９ａと右カッター９ｂを分離可能とすることにより、収納や交換が容易になる。
【００８２】
以上のように、本発明である髪の毛切断用具１は、顔部ガード板及び耳部ガード板を使用することにより、切った髪の毛が顔などに掛かることなく、かつ、刃物で顔などを傷付けることなく安全に髪の毛をカットすることができる。
【００８３】
また、三枚刃カッター、Ｙ字カッター及び三連刃カッターを使い分けることにより、多彩なカッティングが可能となり、複雑な髪型であっても簡単かつ手軽に仕上げることができるようになる。
【００８４】
更に、理容店又は美容院に行かなくても、髪の毛で気になる箇所があった場合に、自分でカットすることができる。また、病気等で体が不自由な場合のお手入れに使用することもできる。
【図面の簡単な説明】
【００８５】
【図１】本発明である髪の毛切断用具の顔部ガード板の正面図である。
【図２】本発明である髪の毛切断用具の顔部ガード板の側面図である。
【図３】本発明である髪の毛切断用具の耳部ガード板の正面図である。
【図４】本発明である髪の毛切断用具の耳部ガード板の側面図である。
【図５】本発明である髪の毛切断用具の三枚刃カッターの正面図である。
【図６】本発明である髪の毛切断用具の三枚刃カッターの側面図である。
【図７】本発明である髪の毛切断用具のＹ字型カッターの正面図である。
【図８】本発明である髪の毛切断用具のＹ字型カッターの側面図である。
【図９】本発明である髪の毛切断用具の三連刃カッターの正面図である。
【図１０】本発明である髪の毛切断用具の三連刃カッターの側面図である。
【図１１】本発明である髪の毛切断用具の顔部ガード板の取付方法を示した図である。
【図１２】本発明である髪の毛切断用具の顔部ガード板の使用方法を示した図である。
【図１３】本発明である髪の毛切断用具の耳部ガード板の使用方法を示した図である。
【図１４】本発明である髪の毛切断用具の替刃式のＹ字型カッターの正面図である。
【図１５】本発明である髪の毛切断用具の替刃式のＹ字型カッターのＡ−Ａ’における断面図である。
【図１６】本発明である髪の毛切断用具の替刃式のＹ字型カッターにカバーを被せた正面図である。
【図１７】本発明である髪の毛切断用具の替刃式の刃とアタッチメントの正面図である。
【図１８】本発明である髪の毛切断用具の替刃式のＹ字型カッターにアタッチメント付きの刃を差し込んだ正面図である。
【図１９】本発明である髪の毛切断用具の替刃式のＹ字型カッターに間隙入りカバーを被せた正面図である。
【図２０】本発明である髪の毛切断用具の湾曲型のＹ字型カッターの側面図である。
【図２１】本発明である髪の毛切断用具の分離型のＹ字型カッターの正面図である。
【符号の説明】
【００８６】
１        髪の毛切断用具
１ａ      髪の毛切断用具
１ｂ      髪の毛切断用具
２        顔部ガード板
２ａ      髪受け部
２ｂ      取付用孔
２ｃ      前部
２ｄ      後部
２ｅ      左部
２ｆ      右部
２ｇ      スリット
２ｈ      左端部
２ｉ      右端部
３        耳部ガード板
３ａ      髪受け部
３ｂ      前端
３ｃ      後端
３ｄ      湾曲部
４        三枚刃カッター
４ａ      柄
４ｂ      中カッター
４ｃ      左カッター
４ｄ      右カッター
４ｅ      中刃
４ｆ      左刃
４ｇ      右刃
５        Ｙ字型カッター
５ａ      柄
５ｂ      左カッター
５ｃ      右カッター
５ｄ      左刃
５ｅ      右刃
６        三連刃カッター
６ａ      柄
６ｂ      上カッター
６ｃ      中カッター
６ｄ      下カッター
６ｅ      刃
７        額
７ａ      髪
７ｂ      手
７ｃ      耳
８        Ｙ字型カッター
８ａ      柄
８ｂ      カッター
８ｃ      刃
８ｄ      溝
８ｅ      アタッチメント
８ｆ      カバー
８ｇ      湾曲カッター
８ｈ      間隙
９        Ｙ字型カッター
９ａ      左カッター
９ｂ      右カッター
９ｃ      刃
９ｄ      留め具
【図１】
2007061236.tif 000003
【図２】
2007061236.tif 000004
【図３】
2007061236.tif 000005
【図４】
2007061236.tif 000006
【図５】
2007061236.tif 000007
【図６】
2007061236.tif 000008
【図７】
2007061236.tif 000009
【図８】
2007061236.tif 000010
【図９】
2007061236.tif 000011
【図１０】
2007061236.tif 000012
【図１１】
2007061236.tif 000013
【図１２】
2007061236.tif 000014
【図１３】
2007061236.tif 000015
【図１４】
2007061236.tif 000016
【図１５】
2007061236.tif 000017
【図１６】
2007061236.tif 000018
【図１７】
2007061236.tif 000019
【図１８】
2007061236.tif 000020
【図１９】
2007061236.tif 000021
【図２０】
2007061236.tif 000022
【図２１】
2007061236.tif 000023